(57)【要約】【課題】油捕集機構部もしくは洗浄する部分の回転により吸込口側に汚れや洗浄液が飛散するという課題を軽減することを目的とする。【解決手段】調理器具上方に位置するよう設けられ、電動機５により回転する羽根車６と、羽根車６に一体に設けた油捕集機構部１８と、油捕集機構部１８を浸漬させるための洗浄ケーシング７と、洗浄ケーシング７に、洗浄液を貯排する開閉弁１５とを設け、開閉弁１５を閉じて洗浄液を貯め、油捕集機構部１８を回転させながら浸漬して洗浄する洗浄工程後に、開閉弁１５を開いて洗浄液を排出する洗浄液排出工程を設けた洗浄機能付レンジフードにおいて、羽根車６の各ブレード１９を捻り形状として形成したものであり、これにより油捕集機構部１８もしくは洗浄する部分の回転により吸込口１側に汚れや洗浄液が飛散するという課題を軽減できるレンジフードを得られる。【選択図】図１
2014077622.tif 000002
【特許請求の範囲】
【請求項１】
調理器具上方に位置するよう設けられ、電動機により回転する羽根車と、前記羽根車に一体に設けた油捕集機構部と、前記油捕集機構部を浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、前記羽根車の各ブレードを捻り形状として形成したことを特徴とするレンジフード。
【請求項２】
電動機の回転数をコントロールすることを特徴とする請求項１に記載のレンジフード。
【請求項３】
電動機の回転数を一定に回転させて羽根車を洗浄した後、前記電動機の運転や停止を繰返す断続運転することを特徴とする請求項２に記載のレンジフード。
【請求項４】
電動機の運転や停止を繰返す断続運転の回転を、一定に回転させる回転数よりも速い回転数で回転させることを特徴とする請求項３に記載のレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図３を参照しながら説明する。
【０００４】
図３は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには、調理で発生する油煙や埃等を捕集する目的としてフィルターを取り付け、そのフィルターを洗浄液に浸漬させて洗浄するものもある（例えば、特許文献２参照）。
【０００６】
以下、そのレンジフードについて図４を参照しながら説明する。
【０００７】
図４は、特許文献２に開示されている他の従来のレンジフード２００の構成図である。
【０００８】
レンジフード２００は、吸込口２０１とファン２０２との間に設けられるフィルター２０３を備える。フィルター２０３は、略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には、油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフードにおいては、油捕集機構部もしくは洗浄する部分を回転させるため、洗浄液が飛び散り吸込口側に汚れや洗浄液が飛散するという課題があった。
【００１１】
本発明は、上記従来の課題を解決するものであり、油捕集機構部もしくは洗浄する部分を回転させても吸込口側への汚れや洗浄液の飛散を軽減することができるレンジフードを提供することを目的としている。
【課題を解決するための手段】
【００１２】
本発明は、上記目的を達成するために、調理器具上方に位置するよう設けられ、電動機により回転する羽根車と、前記羽根車に一体に設けた油捕集機構部と、前記油捕集機構部を浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、前記羽根車の各ブレードを捻り形状として形成したものであり、これにより所期の目的を達成するものである。
【発明の効果】
【００１３】
本発明によれば、調理器具上方に位置するよう設けられ、電動機により回転する羽根車と、前記羽根車に一体に設けた油捕集機構部と、前記油捕集機構部を浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、羽根車の各ブレードを捻り形状として形成することにより、油捕集機構部が回転しているときに洗浄液は羽根車の主板側へ流れ油捕集機構部や羽根車の主板にガイドされて流れるため羽根車入口へ向かう水流や水流が安定せずに洗浄液が飛び跳ねる事象を軽減することができる。同様に羽根車主板側へ向かう水流となることで油捕集機構部の汚れ付着部分に効果的に水流を衝突させることができるため洗浄の効果を増大させることができる。同様に羽根車主板へ水流を衝突、もしくは洗浄液をかけ流すことができるため羽根車主板に付着した汚れも洗浄することができる。
【００１４】
また、電動機により羽根車もしくは油捕集機構部の回転数を自在にコントロールすることで水流の速度や動作を増減できるため油捕集部や羽根車の汚れ付着面への衝突効果により汚れを剥ぎ取る効果を得ることができる。
【００１５】
また、電動機の回転数を一定に回転させて羽根車を洗浄した後、前記電動機の運転や停止を繰返す断続運転することで、効率よく汚れを剥ぎ落とすことができるので洗浄の効果を増大させることができる。
【００１６】
また、電動機の運転や停止を繰返す断続運転の回転を、一定に回転させる回転数よりも速い回転数で回転させることで、より効率よく汚れを剥ぎ落とすことができるので洗浄の効果を増大させることができる。
【図面の簡単な説明】
【００１７】
【図１】本発明の実施の形態１におけるレンジフードを示す構成図
【図２】本発明の実施の形態１における羽根車の構成図
【図３】従来のレンジフードを示す側面構成図
【図４】同形態のレンジフードを示す側面構成図
【発明を実施するための形態】
【００１８】
本発明の請求項１記載のレンジフードは、調理器具上方に位置するよう設けられ、電動機により回転する羽根車と、前記羽根車に一体に設けた油捕集機構部と、前記油捕集機構部を浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、羽根車の各ブレードを捻り形状として形成することにより、油捕集機構部が回転しているときに洗浄液は羽根車の主板側へ流れ油捕集機構部や羽根車の主板にガイドされて流れるため羽根車入口へ向かう水流や水流が安定せずに洗浄液が飛び跳ねる事象を軽減することができるという効果を奏する。同様に羽根車主板側へ向かう水流となることで油捕集機構部の汚れ付着部分に効果的に水流を衝突させることができるため洗浄の効果を増大させる。同様に羽根車主板へ水流を衝突、もしくは洗浄液をかけ流すことができるため羽根車主板に付着した汚れも洗浄するという作用を有する。
【００１９】
また、請求項２記載のレンジフードは電動機により羽根車もしくは油捕集機構部の回転数を自在にコントロールすることで水流の速度や動作を増減できるため油捕集部や羽根車の汚れ付着面への衝突効果により汚れを剥ぎ取るという作用を有する。
【００２０】
また、請求項３記載のレンジフードは、電動機の回転数を一定に回転させて羽根車を洗浄した後、前記電動機の運転や停止を繰返す断続運転することで、羽根車を洗浄する際、羽根車を一定回転運転で回転させ、洗浄水に羽根車および油補修機構部が衝突する力で汚れを物理的に剥がし、かつ、回転や停止の断続運転により、羽根車についた油汚れに対して羽根車および油補修機構部についた汚れと洗浄水の衝突する力を高めて油汚れを剥ぎ落とす、という作用を有する。
【００２１】
また、請求項４記載のレンジフードは、電動機の運転や停止を繰返す断続運転の回転を、一定に回転させる回転数よりも速い回転数で回転させることで、羽根車についた油汚れに対して羽根車および油補修機構部についた汚れと洗浄水の衝突する力を更に高めて油汚れを剥ぎ落とす、という作用を有する。
【００２２】
以下、本発明の実施の形態について図面を参照しながら説明する。
【００２３】
（実施の形態１）
図１に示すように、本実施の形態１では、調理器具（図示せず）の上方に、厨房器具から発生する油煙や周囲に浮遊する埃等を捕集する吸込口１を設けたフード２を壁面１７に設置し、フード２には、天面には屋外と連通したダクト３を介して連通する排出口４を設け、内部には電動機５と、電動機５の回転軸（図示せず）に取り付けた羽根車６（例えば、遠心ファン）と、羽根車６を包括した洗浄ケーシング７を配設し、この羽根車６を介し吸込口１と排出口４を結ぶ通風路８を形成している。
【００２４】
図２に示すように、羽根車６は、複数のブレード１９で構成され、羽根車６の内部には、リング状の油捕集機構部１８を、一定距離を離して、複数枚（風量と油捕集部との関係からここでは８個設けている）取り付けている。
【００２５】
また、図１に示すように、フード２の吸込口１の近傍には箱状の整流板９が配設されている。
【００２６】
また、洗浄ケーシング７の下方に洗浄液１０を貯水する貯水装置１１と給水ポンプ１２を設け、給水ポンプ１２により接続され、洗浄ケーシング７に配設した散水ノズル１３により散水手段１４を構成している。
【００２７】
また、洗浄ケーシング７の下端部に孔を設けて、洗浄ケーシング７内に洗浄液１０を貯排する開閉弁１５を設け、開閉弁１５の下方に排水トレイ１６を構成している。
【００２８】
上記構成において、調理で油煙が発生しているときに電動機５を作動させると、羽根車６が回転し、油煙や埃を含んだ空気が吸込口１から吸い込まれ、羽根車６内を通過する際、油や埃がリング状の油捕集機構部１８に衝突してくっついて捕集され、それらが除去された空気が洗浄ケーシング７内を通過した後、排出口４を介してダクト３を通って屋外に排出される。これを繰り返すと、油捕集機構部１８、羽根車６に油や埃が蓄積されていき、目詰まりを発生させ、排出風量の低下を招くこととなる。
【００２９】
そのため、油捕集機構部１８や羽根車６の洗浄を行うが、まず、開閉弁１５を閉じ、給水ポンプ１２により貯水装置１１に貯めた水を汲み上げ散水ノズル１３に供給する。貯水装置１１内の水は事前に給水しておく。散水ノズル１３の噴射口（図示せず）より噴射された水は洗浄ケーシング７に貯水される。同時に電動機５を作動させると、羽根車６、油捕集機構部１８の全周が洗浄水に浸漬されて洗浄されることとなる。
【００３０】
その際、洗浄液は羽根車６のブレード１９の回転により上方へ持ち上げられ、そして、上方から下方へ落下するという事象を繰り返す。
【００３１】
羽根車６のブレード１９の内側（羽根車６として内側）を洗浄ケーシング７側へ向かうにつれて回転方向と逆側にずれるようにブレードを捻ることで、羽根車６の奥側へ向かう洗浄液の流れが形成され、結果として、吸込口１側へ向かう流れはなくなり吸込口１への油や埃の汚れや洗浄液の飛散を防止することができる。
【００３２】
また、ブレード１９により持ち上げられた洗浄液は、洗浄ケーシング７側へ向かう流れを形成し、その流れはリング状の油捕集機構部１８へ衝突し、油捕集機構部１８のリング形状に沿って下方へ流れ込むため、洗浄液が飛び跳ねて飛散する事象を防止することができる。
【００３３】
その際、リング状の油捕集機構部１８の水流が衝突する部位と汚れが付着する部位は同じ部位であるため、洗浄効果としても増大させることができる。
【００３４】
また、電動機５により羽根車６もしくは油捕集機構部１８の回転数を自在にコントロールすることで、洗浄液の水流の速度を増減できるため油捕集機構部１８や羽根車６の汚れ付着面への衝突効果により汚れを剥ぎ取る効果を得る。そして、その際、投入された洗浄液の量や油捕集機構部１８への汚れの付着量により電動機５の回転数を自在にコントロールし効果的な洗浄をすることができる。
【００３５】
また、電動機５の回転数を例えば２０ｒｐｍ（１分間に２０回転すること）程度で一定に回転させて、洗浄ケーシング７に溜められた洗浄液１０に羽根車６が一定の速さで浸水しながら回転することにより、羽根車６のブレード１９と油捕集機構部１８に蓄積された油や埃の汚れに対し、洗浄液１０がブレード１９と油捕集機構部１８と油や埃との間に確実に浸み込み、かつ、油や埃に対する洗浄液１０との衝突効果により物理的に汚れを剥ぎ落とすこととなる。
【００３６】
そして、上記記載した一定の回転数を例えば５分間回転させた後、電動機５の回転数を２０ｒｐｍの一定回転時より速い回転数、例えば、１００ｒｐｍにて回転させるトルクにて１秒間回転し、その後停止を４秒間続け、また、回転を１秒間続けるという動作を一定回数（例えば２７０回）繰り返し断続運転を実施することで、一定回転時の洗浄時に剥がれ残った水分を含んだ汚れに対して、ぐんぐんと大きな衝突効果を与えすなわち衝突する力を高めて汚れ（油や埃）をさらに剥ぎ落とし、洗浄効果を増大させることができる。
【００３７】
なお、上記にて電動機５の回転数を２０ｒｐｍ、１００ｒｐｍ、断続運転の駆動時間を１秒間、停止時間を４秒間の動作を繰返すとしたが、洗浄効果があればこの回転数及び時間共にこのかぎりではない。
【産業上の利用可能性】
【００３８】
本発明にかかるレンジフードは、回転動作による洗浄機構を用いた場合の洗浄液の飛散を軽減可能とするものであるので、回転動作による洗浄機構を備える装置等にも適用することができる。
【符号の説明】
【００３９】
１    吸込口
２    フード
３    ダクト
４    排出口
５    電動機
６    羽根車
７    洗浄ケーシング
８    通風路
９    整流板
１０  洗浄液
１１  貯水装置
１２  給水ポンプ
１３  散水ノズル
１４  散水手段
１５  開閉弁
１６  排水トレイ
１７  壁面
１８  油捕集機構部
１９  ブレード
【図１】
2014077622.tif 000003
【図２】
2014077622.tif 000004
【図３】
2014077622.tif 000005
【図４】
2014077622.tif 000006